(57)【要約】  【課題】  信号ケーブルやバックカバーを外すことなく、計測機器やプログラム書換え用冶具等の専用プラグが装着でき、動作点検・書換え作業が容易にできるディスプレイ装置を提供する。  【解決手段】  主回路基板と、この主回路基板に電気的に接続されたコネクタ７が装着された小基板１５とをバックカバー３内の任意の位置に取り付け、この小基板１５が取り付けられた位置のバックカバー３に専用プラグが装着できる小窓６を形成し、この小窓６に嵌合される蓋部材１４を備え、蓋部材１４を外して専用プラグを装着可能にしプログラムの書換え等を可能にしたディスプレイ装置。  【選択図】  図１
2005221886.tif 000002
【特許請求の範囲】
【請求項１】
表示パネルを収納する筐体内部に取付けられた主回路基板と、
前記筐体内の前記主回路基板と分離して配置され、前記主回路基板と電気的に接続されたコネクタを装着して成る第２の基板と、
前記筐体背面部にあって、前記第２の基板のコネクタと対抗する位置に形成された窓と、
前記窓を覆うように前記筐体背面部に取付け可能な蓋部材とを具備したことを特徴とするディスプレイ装置。
【請求項２】
前記第２の基板は小基板にて構成し、前記コネクタは前記蓋部材を取り外すことにより、前記筐体の外部から専用プラグを装着可能であることを特徴とする請求項１記載のディスプレイ装置。
【請求項３】
前記筐体は、前記表示パネルを前面部に取付けたフロント枠と、前記フロント枠に固定されるバックカバーとから成り、前記バックカバーは信号ケーブルが接続される配線部を有し、さらにこの配線部を覆うようにカバーが取付けられ、前記窓をこのカバーで覆われる位置に形成し、前記筐体内部の前記窓に対向する位置に前記第２の基板を取付けたことを特徴とする請求項１記載のディスプレイ装置。
【請求項４】
前記蓋部材は、前記窓に嵌合される弾性部材を有し、工具にて取り外し可能であることを特徴とする請求項１記載のディスプレイ装置。
【請求項５】
データ又はプログラムが格納された回路ブロックを有する主回路基板と、この主回路基板に電気的に接続されたコネクタが装着された小基板を有し、前記小基板のコネクタを介して前記データ又はプログラムの書換えを可能としたディスプレイ装置であって、
前記主回路基板を内部に収納したフロント枠及びバックカバーにて成る筐体と、
前記筐体内の前記主回路基板と分離した位置に配置され、前記主回路基板と電気的に接続されたコネクタを装着して成る小基板と、
前記バックカバーの前記小基板のコネクタと対抗する位置に形成された小窓と、
前記小窓を覆うように前記バックカバーに取付けられた蓋部材とを具備したことを特徴とするディスプレイ装置。
【請求項６】
前記小基板に装着された前記コネクタは、前記蓋部材を取り外すことにより、前記小窓を介して筐体の外部から専用プラグを装着可能であることを特徴とする請求項５記載のディスプレイ装置。
【請求項７】
前記バックカバーは信号ケーブルが接続される配線部を有し、さらにこの配線部を覆うようにカバーが取付けられ、このカバーで覆われる位置に前記小窓を形成し、前記バックカバー内部の前記小窓に対向する位置に前記小基板を取付けたことを特徴とする請求項５記載のディスプレイ装置。
【発明の詳細な説明】
【技術分野】
【０００１】
本発明は、各種データ及びプログラム書換え用のコネクタを任意の位置に取り付けることが可能なディスプレイ装置に関する。
【背景技術】
【０００２】
従来、テレビジョン受像機等のディスプレイ装置には、表示装置としてブラウン管を用いたものが多く普及している。また、近年はブラウン管に代わり、プラズマディスプレイや液晶ディスプレイ（以下、平面型表示パネルと称する）を用いたディスプレイ装置が実用化されている。
【０００３】
このような平面型表示パネルを用いたディスプレイ装置は、奥行きを薄くできるため、壁面に設置したり、壁面に密着させて設置できる。また、平面型表示パネルを用いたディスプレイ装置に各種外部機器からの信号を供給する場合は、多数の信号ケーブルを接続する必要があり、コネクタ構造を工夫して美観を損ねないようにする必要がある。
【０００４】
例えば特許文献１の例では、ディスプレイ装置に接続される各種外部機器からの信号ケーブルを接続するコネクタ郡をバックカバーの一部に設け、そのコネクタ郡に接続された信号ケーブルをバックカバーの表面に露出しないようにカバー等で覆うようにしている。
【０００５】
一方、近年のテレビジョン受像機は、衛星デジタル放送と地上波デジタル放送を受信可能であり、これらデジタルテレビ信号を受信再生するため、デジタル信号処理回路が多く用いられている。このデジタル信号処理回路は、一般的に回路基板に搭載されるが、それら信号処理回路の動作状態を点検したり、データ書換え、あるいは制御プログラムの書換え等を行うため、サービス用の端子を備えたものがある。そしてこのサービス端子に動作点検用の計測機器や、プログラム書換え用の冶具等を接続し、動作点検やプログラムの書換えを行うようにしている。
【０００６】
上記サービス用端子は、前記回路基板に設けられているが、動作点検やプログラム書換えの際には、バックカバーを取り外し、回路基板を露出させてから点検用の専用プラグを装着するという繁雑な作業が強いられていた。
【特許文献１】特開２００１−２３０９８９号公報（第４頁，図２参照）
【発明の開示】
【発明が解決しようとする課題】
【０００７】
上記したように、従来の平面型表示パネルを用いたディスプレイ装置は、奥行きを薄くできるが、各種外部機器との接続に用いる信号ケーブルの配線をうまく工夫する必要があった。また、回路基板に設けられているサービス用端子に治具を接続して動作確認やプログラムの書込み等を行う場合は、バックカバーのコネクタ郡に接続されている信号ケーブルを外し、次にバックカバーを取り外して、回路基板を露出させてから作業する必要があり、作業性が悪く時間がかかるという不具合があった。また、このサービス用端子は、ディスプレイ装置の製造時やサービスマンによる点検時等に利用するものであるから、ユーザが容易に触れることができないようにする必要がある。
【０００８】
本発明は、このような事情に鑑み、複雑な作業を伴うことなくサービス用端子に冶具等を接続でき、動作点検やプログラムの書換え等が容易にできるディスプレイ装置を提供することを目的としている。
【課題を解決するための手段】
【０００９】
本発明のディスプレイ装置は、表示パネルを収納する筐体内部に取付けられた主回路基板と、前記筐体内の前記主回路基板と分離して配置され、前記主回路基板と電気的に接続されたコネクタを装着して成る第２の基板と、前記筐体背面部にあって、前記第２の基板のコネクタと対抗する位置に形成された窓と、前記窓を覆うように前記筐体背面部に取付け可能な蓋部材とを具備したことを特徴とする。
【００１０】
また、本発明のディスプレイ装置は、データ又はプログラムが格納された回路ブロックを有する主回路基板と、この主回路基板に電気的に接続されたコネクタが装着された小基板を有し、前記小基板のコネクタを介して前記データ又はプログラムの書換えを可能としたディスプレイ装置であって、
前記主回路基板を内部に収納したフロント枠及びバックカバーにて成る筐体と、前記筐体内の前記主回路基板と分離した位置に配置され、前記主回路基板と電気的に接続されたコネクタを装着して成る小基板と、前記バックカバーの前記小基板のコネクタと対抗する位置に形成された小窓と、前記小窓を覆うように前記バックカバーに取付けられた蓋部材とを具備したことを特徴とする。
【発明の効果】
【００１１】
本発明のディスプレイ装置は、動作点検やプログラム書換え用のコネクタをバックカバーの任意の位置に設置することができ、前記コネクタを覆う蓋部材を外すことで動作点検やプログラム換え用の専用プラグを装着できるため、作業効率が向上すると共に、ユーザによる不要な操作を防止することができる。
【発明を実施するための最良の形態】
【００１２】
以下、図面を参照して本発明の実施の形態について詳細に説明する。
【実施例１】
【００１３】
図１は、本発明の一実施形態であるディスプレイ装置の背面斜視図である。尚、本発明のディスプレイ装置としては、液晶ディスプレイやプラズマディスプレイ等の平面型表示パネルを用いたテレビジョン受像機（以下テレビセットと称す）を例に説明する。
【００１４】
図１において、１はテレビセットであり、平面型表示パネル（図示省略）は、フロント枠２によって保持されている。このフロント枠２の前面部には、図示していないがスピーカが配置されている。また、フロント枠２にはバックカバー３が取付けられ、これらフロント枠２とバックカバー３とでディスプレイ筐体を構成している。そしてこの筐体内には、平面型表示パネルの駆動回路や、受信したテレビ信号に所定の信号処理を施して映像信号と音声信号を生成する信号処理回路、マイクロプロセッサによる制御回路や、データ又はプログラムが格納されたメモリ等の回路ブロックが搭載された主回路基板（図示せず）が配置されている。
【００１５】
前記フロント枠２とバックカバー３の底部には、スタンド１２が設けられ、このスタンド１２によりテレビセット１は支持されている。また、前記バックカバー３の背面部には、ケーブル配線部４とケーブル挿通部１１が略Ｌ字状に形成されている。ケーブル配線部４は、バックカバー３の背面の上方から下方に向って形成された凹所にてなり、表示パネル面に対して垂直に形成した垂直面４ａと、表示パネル面と平行な面４ｂを有し、バックカバー３の上部から見て略直角形状に切り込まれた形状となっている。前記ケーブル挿通部１１は、バックカバー３の底辺に沿って溝状に形成され、前記ケーブル配線部４と連通している。
【００１６】
前記ケーブル配線部４の垂直面４ａには、ケーブルコネクタ基板５が配置されている。このケーブルコネクタ基板５は、各種外部機器からの信号ケーブルを接続するための各種コネクタが設けられ、このコネクタに接続された信号ケーブルは、ケーブル配線部４に収納される。前記ケーブル配線部４に収納された信号ケーブルは、ケーブル挿通部１１を介して、背後から引き出される。また、バックカバー３の側面には外部入力端子部９と外部出力端子部１０が設けられている。
【００１７】
こうして、前記ケーブル配線部４に設けられたコネクタや外部入力端子部９には、例えば、ＶＴＲ、ＤＶＤプレーヤ等の外部機器からの信号ケーブルが接続され、外部出力端子部１０は、他の機器に接続するための信号ケーブルが接続される。
【００１８】
一方、前記バックカバー３に設けられたケーブル配線部４には、図２で示す配線カバーが１３装着され、それにより収納された信号ケーブルを覆い、コネクタ部分の保護を行うようにしている。又、ケーブル挿通部１１にも同様にカバー（図示せず）が装着可能になっている。尚、配線カバー取付孔８ａ，８ｂは、前記配線カバー１３をバックカバー３に取付けるためのものであり、取付孔１１ａ，１１ｂはケーブル挿通部１１を覆うカバーを取付けるための孔である。
【００１９】
また、前記バックカバー３のケーブル配線部４の近傍であって、前記配線カバー１３により覆われる位置には、小窓６が設けられている。この小窓６の内部には、前記主回路基板の各種信号処理回路の動作点検用の端子や、データやプログラム書換え用の端子に電気的に接続されたコネクタ７が設けられている。そして、この小窓６を介してコネクタ７に専用プラグが装着可能になっている。この専用プラグは、前記コネクタ７に動作点検用の計測機器を接続したり、或いは制御プログラム書込用の冶具等を接続するためのものである。
【００２０】
前記小窓６は、前記コネクタ７の形状と相似形状の略長方形状に穿設されており、この小窓６には、蓋部材１４が嵌合されるようになっている。この蓋部材１４の構成は、後述するが、小窓６への嵌合装着が容易に行え、取り外す際には、工具を用いない限り外せない構造となっている。すなわち、小窓６は、通常時は蓋部材１４によって覆われ、小窓６の内側のコネクタ７を隠蔽し、専用プラグを装着する時には蓋部材１４を工具を用いて取り外すようにしている。また、この小窓６は、ケーブル配線部４を覆う配線カバー１３が装着される位置に設たけことにより、配線カバー１３によっても隠蔽させることができる。
【００２１】
前記コネクタ７及び小窓６の構成及び使用方法について、図２乃至図４を用いて説明する。なお、図２はテレビセット１のケーブル配線部４に配線カバー１３を取付けた状態を示し、図３は配線カバー１３を取り外した状態を示し、図４は蓋部材１４を取り外した状態を示している。
【００２２】
図２で示すように、ケーブル配線部４は配線カバー１３により覆われるが、この配線カバー１３の一方の側面には、突起（図示せず）が設けられ、この突起を前記配線カバー取付孔８ａ，８ｂに弾性的に挿入して固定するようにしている。この配線カバー１３によってケーブル配線部４を覆うことにより、蓋部材１４、小窓６、及びコネクタ７が隠蔽される。
【００２３】
図３は、配線カバー１３を配線カバー取付孔８ａ，８ｂから取り外した状態を示している。この状態では、ケーブル配線部４に収納されている複数の信号ケーブル２１ａ，２１ｂ，２１ｃ，２１ｄが露呈するが、小窓６は蓋部材１４によって隠されている。したがって、小窓６の内側に設けられたコネクタ７は露呈することなく、ユーザが接触できないようになっている。
【００２４】
次に、この小窓６を覆っている蓋部材１４をドライバ等の工具を用いて取り外すと、図４に示すように、その小窓６の内部に設けられているコネクタ７が露呈し、そのコネクタ７に前記専用プラグが接続可能となる。これにより、バックカバー３を取り外すことなく、専用プラグが装着でき、動作の点検や制御プログラムの書換えが可能となる。
【００２５】
また、ユーザは、外部機器をテレビセット１に接続する際には配線カバー１３は容易に取り外せるが、その配線カバー１３で隠蔽されている部分に設けられている小窓６は、蓋部材１４が嵌合されており、取り外し工具を用いない限り取り外せないために、ユーザが小窓６の位置に設けたコネクタ７に接触したり、不要な外部機器を接続したりすることを防止できる。
【００２６】
この小窓６に設けられる蓋部材１４の形状と、小窓６の位置に設置されるコネクタ７の構成について、図５と図６を用いて説明する。なお、図５は小窓６を覆う蓋部材１４の構成を示す斜視図、図６は小窓６とコネクタ７の部分の構成を示す断面図である。
【００２７】
前記蓋部材１４は、図５に示すように、前記バックカバー３に設けられた略長方形状の小窓６に嵌合される形状に形成され、対向する短辺にはそれぞれ弾性部材で形成された舌片１４ａ，１４ｂが設けられている。この舌片１４ａ，１４ｂの先端は、鉤状になっており、前記小窓６の内側に係合するようになっている。つまり、この蓋部材１４を小窓６に嵌合させる際に、舌片１４ａ，１４ｂの先端に設けられた鉤部が小窓６の内側に係合し、その舌片１４ａ，１４ｂの弾性力により小窓６に装着する。
【００２８】
この蓋部材１４を小窓６から外す際には、蓋部材１４の舌片１４ａ，１４ｂと小窓６の間に、例えば、マイナスドライバーを差し込み、蓋部材１４を取り外す。これにより、蓋部材１４は、ドライバなどの工具を用いない限り小窓６から外すことできず、ユーザの身近にあるコインや同種のもので蓋部材１４を取り外すことを防止でき、ユーザにより不要に開けられるのを防止できる。
【００２９】
この小窓６の内側に設けられるコネクタ７は、図６に示すように、小基板１５に取付けられている。この小基板１５は、前述した主回路基板とは分離して形成され、小基板１５上のコネクタ７と主回路基板とはフレキシブルケーブル等により電気的に接続されている。つまり、この小基板１５は、電気的に主回路基板に接続されているが、主基板とは別体に形成され、この小基板１５を前記小窓６と対向する位置に取付けている。したがって、図６に示すように、コネクタ７の接続面側は、小窓６に対向し、通常は蓋部材１４で覆われ、さらに、その蓋部材１４を覆って配線カバー１３が配置されている。これにより、バックカバー３の美観を損なうこともなく、かつ、ユーザが不要にコネクタ７に触れることを防止できる。
【００３０】
なお、以上の例ではコネクタ７を取付けた小基板１５を、バックカバー３のケーブル配線部４の近傍の配線カバー１３で隠蔽される部分に設けたが、前述したように、小基板１５は、主回路基板とは、別体で形成されているために、小基板１５は、バックカバー３内部の任意の位置に設けることができる。この場合、小基板１５を配置した位置に小窓６を設け、その小窓６に蓋部材１４を装着するようにすれば良く、小基板１５の位置は任意に設定することが出来、設計上の自由度を向上することができる。
【図面の簡単な説明】
【００３１】
【図１】本発明の一実施形態のディスプレイ装置の背面を示す斜視図。
【図２】本発明に係るディスプレイ装置に配線カバーを取り付けた状態を示す斜視図。
【図３】本発明に係るディスプレイ装置において、配線カバーを取り外した状態を示す斜視図。
【図４】本発明に係るディスプレイ装置の配線カバー内の蓋部材を取り外した状態を示す斜視図。
【図５】本発明に係るディスプレイ装置に使用する蓋部材を示す斜視図。
【図６】本発明に係るディスプレイ装置のコネクタと小窓と小基板の関係を示す断面図。
【符号の説明】
【００３２】
１    ディスプレイ装置（テレビセット）
２    フロント枠
３    バックカバー
４    ケーブル配線部
６    小窓
７    コネクタ
１３  配線カバー
１４  蓋部材
１５  小基板
代理人  弁理士  伊藤  進
【図１】
2005221886.tif 000003
【図２】
2005221886.tif 000004
【図３】
2005221886.tif 000005
【図４】
2005221886.tif 000006
【図５】
2005221886.tif 000007
【図６】
2005221886.tif 000008